(57)【特許請求の範囲】
【請求項１】
股間部、股間部の前側に延出する腹側部分及び股間部の後側に延出する背側部分を有し、
股間部を含む部分に吸収体を有し、かつ両側部は吸収体を有しないサイドフラップ部とされており、
前記サイドフラップ部の側縁に脚周りに沿う括れ部分が形成されており、
背側部分における幅方向両側部から、腹側部分と着脱自在に連結されるファスニングテープがそれぞれ突出されており、
幅方向両側における吸収体の裏面側に、前記腹側部分から股間部を通り前記背側部分まで延在するとともに股間部で幅方向中央側に膨出するように、細長状弾性部材が伸張状態でそれぞれ固定されている、テープ式使い捨ておむつと、
股間部の前側及び後側にそれぞれ延出する前側部分及び後側部分を有し、周縁部により囲まれた本体部分に繊維集合体からなる吸収体が配置されており、前記テープ式使い捨ておむつの内面に股間部を合わせて配置される吸収パッドと、を有する吸収性物品において；
前記テープ式使い捨ておむつは、前記細長状弾性部材として、前記サイドフラップ部に前記括れ部分に沿って延在するように設けられた外側弾性部材と、腹側部分及び背側部分のサイドフラップ部に始端及び終端を有し、これらよりも股間側の部分において前記吸収体と重なる部分まで内側に膨出延在するように設けられた内側弾性部材とを備えており、
前記吸収パッドは、前記本体部の幅方向両側における吸収体の裏面側に、前側部分から股間部を通り後側部分まで延在するとともに股間部で幅方向中央側に膨出するように、細長状弾性部材が伸張状態でそれぞれ固定されており、これら幅方向両側の細長状弾性部材はそれぞれ少なくとも一部の細長状弾性部材の股間部における位置が、前記テープ式使い捨ておむつの幅方向両側に設けられた内側弾性部材よりも幅方向中央側に位置している、
ことを特徴とする吸収性物品。
【請求項２】
前記吸収パッドにおける幅方向両側の細長状弾性部材はその全てが、前記テープ式使い捨ておむつの幅方向両側に設けられた内側弾性部材よりも幅方向中央側に位置しており、
前記吸収パッドにおける幅方向両側の細長状弾性部材のうち股間部から腹側に延在する部分は、前記テープ式使い捨ておむつの幅方向両側に設けられた内側弾性部材に沿って一定の間隔を空けて延在され、背側に延在する部分は臀部の膨らみと対応する部分の幅方向外側を回るような湾曲状に延在する部分と、その後端から前後方向に沿って直線状に延在する部分とを有している、
請求項１記載の吸収性物品。
【請求項３】
前記吸収パッドの吸収体は、少なくとも前記吸収パッドの細長状弾性部材の股間部における位置と重なる部分が刳り貫かれている、請求項１又は２記載の吸収性物品。
【請求項４】
前記吸収パッドの吸収体の幅方向中央部における前記前側部分又は股間部から前記後側部分までの部分に、身体側に開口する溝が形成されている、請求項１〜３のいずれか１項に記載の吸収性物品。
【請求項５】
前記吸収パッドの細長状弾性部材は、幅方向一方側の前記細長状弾性部材と幅方向他方側の前記細長状弾性部材との間隔が股間部において最も狭くなるように配置されるとともに、前記細長状弾性部材が周囲の部材と異なる色の有色部材とされている、請求項２記載の吸収性物品。
【発明の詳細な説明】
【技術分野】
【０００１】
本発明は、吸収パッド、及び吸収パッドを有する吸収性物品に関するものである。
【背景技術】
【０００２】
吸収性物品においては、適所に糸ゴム等の細長状の弾性部材を伸張状態で接着固定し、身体に対するフィット性を高めることが行われている。例えばテープ式紙おむつにおいては、物品の幅方向両側における吸収体の裏面側に、前後方向に沿って複数本の細長状弾性部材を接着固定することにより、身体に対する吸収体のフィット性を高めることが行われている。
一方、特に成人向けの使い捨ておむつにおいては、交換頻度を考慮して、内面に尿吸収を目的とした吸収パッドを用いることが一般的になっているが、このような吸収パッドにおいては、通常、吸収体の裏面側に細長状弾性部材は設けられていない（例えば特許文献１〜５参照）。つまり、従来は、おむつの吸収体の裏面側に設けられた弾性部材を利用して吸収パッドを身体側に押さえ付けフィットさせることが一般的であった。
【特許文献１】特開２００４−０２４３０８号公報
【特許文献２】特開２００５−２８７７９１号公報
【特許文献３】特開２００７−０９７６１９号公報
【特許文献４】特開２００７−０９７６２７号公報
【特許文献５】特開２００３−０８８５４７号公報
【発明の開示】
【発明が解決しようとする課題】
【０００３】
しかしながら、このような従来形態では、股間部における吸収パッドのフィット性が乏しいという問題点があった。この問題点は、特に装着者が座位をとっているときに顕著になるという知見が得られている。
そこで、本発明の主たる課題は、テープ式使い捨ておむつの内面に配置される吸収パッドの股間部におけるフィット性を向上させることにある。
【課題を解決するための手段】
【０００４】
＜第１の参考例＞
股間部の前側及び後側にそれぞれ延出する前側部分及び後側部分を有し、周縁部により囲まれた本体部分に繊維集合体からなる吸収体が配置された吸収パッドにおいて、
前記股間部の本体部における吸収体の裏面側のうち、幅方向中央を基準として幅方向に±１００ｍｍの範囲にのみ、身体に対するフィット性を高めるための弾性部材が設けられている、
ことを特徴とする吸収パッド。
【０００５】
（作用効果）
殆ど多くのテープ式の使い捨ておむつでは、幅方向両側における吸収体の裏面側に、腹側部分から股間部を通り背側部分まで延在するとともに股間部で幅方向中央側に膨出するように、細長状弾性部材が伸張状態でそれぞれ固定されている。これに組み合わせる吸収パッドにおいて、吸収体の裏面側に外側のおむつと同様の弾性部材を設けても、吸収パッドの収縮によりおむつの弾性部材の収縮力が十分に作用しないため、股間部のフィット性はさほど向上しない。また、外側のおむつの弾性部材を股間部の幅方向中央部に追加しても、おむつの吸収体における剛性の高さが影響して、パッドの幅方向中央部におけるフィット性はさほど向上しない。
これに対して、吸収パッドに設ける弾性部材の位置を、少なくとも股間部において、幅方向中央を基準として幅方向に±１００ｍｍの範囲にのみ位置させると（この範囲の幅方向外側には弾性部材が設けられていない）、殆ど多くのテープ式使い捨ておむつとの組み合わせにおいて、吸収パッドに設けた弾性部材の一部又は全部が、おむつの幅方向両側に設けられた細長状弾性部材よりも幅方向中央側に位置するようになる。そしてこの場合、股間部において、おむつの幅方向両側の細長状弾性部材が、パッドの幅方向両端部を身体にフィットさせ、パッドの弾性部材がパッドの幅方向中央側を身体にフィットさせるようになり、股間部の幅方向全体が身体に良好にフィットするようになる。
【０００６】
＜第２の参考例＞
股間部の前側及び後側にそれぞれ延出する前側部分及び後側部分を有し、周縁部により囲まれた本体部分に繊維集合体からなる吸収体が介在された吸収パッドにおいて、
前記本体部の幅方向両側における吸収体の裏面側に、前側部分から股間部を通り後側部分まで延在するとともに股間部で幅方向中央側に膨出するように、細長状弾性部材が伸張状態でそれぞれ固定されており、
これら細長状弾性部材は、前記股間部では、幅方向中央を基準として幅方向に±１００ｍｍの範囲にのみ位置する、
ことを特徴とする吸収パッド。
【０００７】
（作用効果）
この場合、殆ど多くのテープ式使い捨ておむつとの組み合わせにおいて、吸収パッドに設けた細長状弾性部材の一部又は全部が、おむつの幅方向両側に設けられた細長状弾性部材の幅方向中央側に沿って位置するようになる。よって、股間部において、おむつの幅方向両側の細長状弾性部材が、パッドの幅方向両端部を身体にフィットさせ、パッドの弾性部材がパッドの幅方向中央側を身体にフィットさせるようになるとともに、パッドの弾性部材の収縮により生じる外面形状と、おむつにおける弾性部材の収縮により生じる内面形状とがフィットするようになるため、パッドの股間部の幅方向全体が身体に良好にフィットし、またパッドとおむつとのズレも発生し難くなる。
【０００８】
＜第３の参考例＞
前記吸収体は、少なくとも前記細長状弾性部材の股間部における位置と重なる部分が刳り貫かれている、第１又は第２の参考例の吸収パッド。
【０００９】
（作用効果）
このような切欠を設けることにより、吸収パッドが股間部において変形し易くなり、股間部におけるフィット性がより一層のものとなる。
【００１０】
＜第４の参考例＞
前記吸収体の幅方向中央部における前記前側部分又は股間部から前記後側部分までの部分に、身体側に開口する溝が形成されている、第１〜第３のいずれかの参考例の吸収パッド。
【００１１】
（作用効果）
本参考例では、股間部におけるフィット性が向上するため、パッド表面と身体との間に尿を一時的にプール（貯留）する空間が少なくなる。この場合、一度に多量の排尿があった場合、漏れにつながるおそれがある。よって、本参考例では、上記のような溝を形成し、当該溝形成部分における吸収速度を向上させるのが好ましい。
【００１２】
＜第５の参考例＞
前記吸収体は、下層吸収体とその上に積層された上層吸収体とからなり、且つ上層吸収体が下層吸収体よりも少ない量の高吸収性ポリマーを含むものである、第１〜第４のいずれかの参考例の吸収パッド。
【００１３】
（作用効果）
本参考例では、股間部におけるフィット性が向上するため、パッド表面と身体との間に尿を一時的にプール（貯留）する空間が少なくなる。この場合、一度に多量の排尿があった場合、漏れにつながるおそれがある。よって、本参考例では、二層構造の吸収体を採用するとともに、上層吸収体の高吸収性ポリマーの量を下層吸収体よりも少なくし、吸収速度を向上させるのが好ましい。
【００１４】
＜第６の参考例＞
幅方向一方側の前記細長状弾性部材と幅方向他方側の前記細長状弾性部材との間隔が股間部において最も狭くなるように前記細長状弾性部材が配置されるとともに、前記細長状弾性部材が周囲の部材と異なる色の有色部材とされている、第２の参考例の吸収パッド。
【００１５】
（作用効果）
このような細長状弾性部材の配置と、細長状弾性部材の色付けとを組み合わせることにより、パッドの股間部の位置を容易に視認でき、おむつに対してパッドを正確に配置することができるようになる。よって、上述した股間部のフィット性の向上がより確実に発揮されるようになる。
【００１６】
【００１７】
【００１８】
＜請求項１記載の発明＞
股間部、股間部の前側に延出する腹側部分及び股間部の後側に延出する背側部分を有し、
股間部を含む部分に吸収体を有し、かつ両側部は吸収体を有しないサイドフラップ部とされており、
前記サイドフラップ部の側縁に脚周りに沿う括れ部分が形成されており、
背側部分における幅方向両側部から、腹側部分と着脱自在に連結されるファスニングテープがそれぞれ突出されており、
幅方向両側における吸収体の裏面側に、前記腹側部分から股間部を通り前記背側部分まで延在するとともに股間部で幅方向中央側に膨出するように、細長状弾性部材が伸張状態でそれぞれ固定されている、テープ式使い捨ておむつと、
股間部の前側及び後側にそれぞれ延出する前側部分及び後側部分を有し、周縁部により囲まれた本体部分に繊維集合体からなる吸収体が配置されており、前記テープ式使い捨ておむつの内面に股間部を合わせて配置される吸収パッドと、を有する吸収性物品において；
前記テープ式使い捨ておむつは、前記細長状弾性部材として、前記サイドフラップ部に前記括れ部分に沿って延在するように設けられた外側弾性部材と、腹側部分及び背側部分のサイドフラップ部に始端及び終端を有し、これらよりも股間側の部分において前記吸収体と重なる部分まで内側に膨出延在するように設けられた内側弾性部材とを備えており、
前記吸収パッドは、前記本体部の幅方向両側における吸収体の裏面側に、前側部分から股間部を通り後側部分まで延在するとともに股間部で幅方向中央側に膨出するように、細長状弾性部材が伸張状態でそれぞれ固定されており、これら幅方向両側の細長状弾性部材はそれぞれ少なくとも一部の細長状弾性部材の股間部における位置が、前記テープ式使い捨ておむつの幅方向両側に設けられた内側弾性部材よりも幅方向中央側に位置している、
ことを特徴とする吸収性物品。
【００１９】
（作用効果）
第２の参考例と同様の作用効果を奏する。
＜請求項２記載の発明＞
前記吸収パッドにおける幅方向両側の細長状弾性部材はその全てが、前記テープ式使い捨ておむつの幅方向両側に設けられた内側弾性部材よりも幅方向中央側に位置しており、
前記吸収パッドにおける幅方向両側の細長状弾性部材のうち股間部から腹側に延在する部分は、前記テープ式使い捨ておむつの幅方向両側に設けられた内側弾性部材に沿って一定の間隔を空けて延在され、背側に延在する部分は臀部の膨らみと対応する部分の幅方向外側を回るような湾曲状に延在する部分と、その後端から前後方向に沿って直線状に延在する部分とを有している、
請求項１記載の吸収性物品。
＜請求項３記載の発明＞
前記吸収パッドの吸収体は、少なくとも前記吸収パッドの細長状弾性部材の股間部における位置と重なる部分が刳り貫かれている、請求項１又は２記載の吸収性物品。
＜請求項４記載の発明＞
前記吸収パッドの吸収体の幅方向中央部における前記前側部分又は股間部から前記後側部分までの部分に、身体側に開口する溝が形成されている、請求項１〜３のいずれか１項に記載の吸収性物品。
＜請求項５記載の発明＞
前記吸収パッドの細長状弾性部材は、幅方向一方側の前記細長状弾性部材と幅方向他方側の前記細長状弾性部材との間隔が股間部において最も狭くなるように配置されるとともに、前記細長状弾性部材が周囲の部材と異なる色の有色部材とされている、請求項２記載の吸収性物品。
【発明の効果】
【００２０】
本発明によれば、テープ式使い捨ておむつの内面に配置される吸収パッドの股間部におけるフィット性が向上する、等の利点がもたらされる。
【発明を実施するための最良の形態】
【００２１】
以下、本発明の一実施形態について添付図面を参照しながら詳説する。なお、本発明の用語のうち「股間部」とは使用時に身体の股間と対応させる部分を意味し、殆ど多くの製品では前後方向中央部及びその前後近傍の部分である。具体的には、成人向け製品の場合、製品の前後方向中央を基準として±１５０ｍｍの範囲である。また、「腹側部分」及び「前側部分」は股間部よりも前側の部分を意味し、「背側部分」及び「後側部分」は股間部よりも後側の部分を意味する。
【００２２】
（テープ式使い捨ておむつについて）
図１〜図６は、本発明に係るテープ式使い捨ておむつの一例１００を示しており、この使い捨ておむつ１００は、外面に外装シート１２が積層された不透液性バックシート１の内面と、透液性トップシート２との間に、吸収体３が介在されているものである。
【００２３】
不透液性バックシート１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。バックシート１の単位面積あたりの重量は１３〜４０ｇ／ｍ2であるのが好ましく、厚みは０．０１〜０．１ｍｍであるのが好ましい。
【００２４】
外装シート１２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。外装シート１２に用いる不織布の繊維目付けは１３〜３０ｇ／ｍ2であるのが好ましく、厚みは０．０５〜１ｍｍであるのが好ましい。
【００２５】
透液性トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。透液性トップシート２に用いる不織布の繊維目付けは１５〜３０ｇ／ｍ2であるのが好ましく、厚みは０．０５〜１ｍｍであるのが好ましい。
【００２６】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。また、必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。吸収体４におけるパルプ目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが無くなり、ヨレや割れ等が発生し易くなる。
【００２７】
不透液性バックシート１は、吸収体３の周囲より外方に延在して略矩形状をなしている。不透液性バックシート１の側方延在部の内面にはバリヤシート４の幅方向外側の部分４ｘが前後方向全体にわたり貼り付けられ、吸収体３の存在しないサイドフラップ部ＳＦを構成している。バリヤシート４の幅方向中央側の部分４ｃはトップシート２上にまで延在しており、その幅方向中央側の端部には、細長状弾性部材４Ｇが前後方向に沿って伸張状態でホットメルト接着剤等により固定されている。この細長状弾性部材４Ｇ及び後述する細長状弾性部材１３としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２８】
透液性トップシート２は、吸収体３より若干大きめの砂時計形状とされ、吸収体３側縁より若干外方に延在する部分がバリヤシート４と不透液性バックシート１との間に介在され不透液性バックシート１側にホットメルト接着剤等により固着されている。この固着部分は図３及び図４では点模様で示されている。バリヤシート４の素材としては、プラスチックシートやメルトブローン不織布を使用することもできるが、肌への感触性の点で、不織布にシリコンなどにより撥水処理をしたものが好適に使用される。
【００２９】
不透液性バックシート１の外面を不織布で覆う場合には、不透液性バックシート１に代えて、外装不織布を吸収体３の周囲より外方に延在させてバリヤシート４の側部とともに、吸収体８の存在しないサイドフラップ部ＳＦを構成することもできる。この場合、不透液性バックシート１をサイドフラップ部ＳＦまで延在させず、トップシート２と同様の形状とすることができる。
【００３０】
図３及び図４にも示されるように、両バリヤシート４，４は、幅方向外側の部分４ｘが前後方向全体にわたり物品内面（図示形態ではトップシート２表面およびバックシート１内面）に着脱しないように固定されるとともに、幅方向中央側の部分４ｃが、前後方向の両端部では物品内面（図示形態ではトップシート２表面）に着脱しないように固定され、かつ前後方向の両端部間では物品内面（図示形態ではトップシート２表面）に固定されていない。この非固定部分は、図４に示されるように、物品内面（図示形態ではトップシート２表面）に対して起立可能なバリヤ部となる部分であり、その起立基端４ｂはバリヤシート４における幅方向外側の固定部分４ｘと内側の部分４ｃとの境に位置する。
【００３１】
使い捨ておむつ１００の前後方向両端部では、不透液性バックシート１および透液性トップシート２が吸収体３の前後端よりも前後両側にそれぞれ延在され、吸収体３の存在しないエンドフラップ部ＥＦが形成され、このうち背側のエンドフラップ部ＥＦにおいては、複数本、図示の例では３本の糸状弾性部材７，７…が幅方向に沿って配設されている。この糸状弾性部材７としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００３２】
また、背側Ｂ１の胴回り部における両サイドフラップ部ＳＦには、それぞれファスニングテープ５，５が側方に突出するように取り付けられるとともに、使い捨ておむつ１００の腹側Ｆ１の胴回り部表面に幅方向に沿ってフロントターゲットテープ６が貼着されており、このフロントターゲットテープ６にファスニングテープ５の接合片８ａを止着することによって使い捨ておむつ１００が身体に装着されるようになっている。
【００３３】
図示例のファスニングテープ５は、１枚のファスニング基材シート８の内端側を使い捨ておむつ１００側に接着して取り付けられ、先端側には外側縁から延在して上下２段で側方に突出する接合片８ａ、８ａが形成され、接合片８ａ、８ａの間のファスニング基材シート８部分に対し、外側縁から内側に向かい、かつ水平方向に沿ってミシン目１０が設けられているものであるが、これに限られず公知のファスニングテープを用いることができる。ファスニング基材シート８としては、種々のシート材を使用することができるが、好ましくは坪量４０〜８０ｇ／ｍ2の単層又は複層の不織布を用いるのがよい。加工法は強度特性に優れたスパンボンドが好ましい。接合片８ａ、８ａの内面側（透液性表面シート２側）には、表面にフック状突起を多数有するフックテープ（メカニカルファスナーの雄材）９，９がそれぞれ取り付けられ、フック状突起が着脱可能に掛止される表面を有するフロントターゲットテープ（メカニカルファスナーの雌材）６へ接合可能となっている。
【００３４】
特徴的には、おむつ１００幅方向両側における吸収体３の裏面側に、腹側部分Ｆ１から背側部分Ｂ１にわたり延在するとともに、股間部Ｃ１で幅方向中央側に膨出するように、複数本の細長状弾性部材１３がそれぞれ設けられている。この弾性部材１３は、本実施形態では外装シート１２とバックシート１との間に接着剤を用いて固定されているが、バックシート１の内面に固定することもできる。
【００３５】
特に本実施形態においては、サイドフラップ部ＳＦにおいて、脚周りに沿うように形成された括れ部分に沿って延在する複数本（図示例では５本）の外側弾性部材１３ｓと、腹側及び背側のサイドフラップ部ＳＦに始端及び終端を有し、股間側の部分において吸収体と重なる部分まで内側に膨出延在する複数本（図示例では３本）の内側弾性部材１３ｉとが設けられている。
【００３６】
内側弾性部材１３ｉは、股間部Ｃ１から離間するにつれて幅方向外側に位置変化するものであり、その変化の傾き（前後方向に対する）は腹側に延在する部分よりも背側に延在する部分の方が急になっており、外側弾性部材１３ｓに近接した後は外側弾性部材に沿って一定の間隔で延在されている。
【００３７】
股間部Ｃ１における幅方向一方側の内側弾性部材１３ｉと幅方向他方側の内側弾性部材１３ｉとの最小幅方向間隔ｄ１は適宜定めることができるが、１０〜１５０ｍｍであるのが好ましい。この間隔ｄ１が狭すぎると、後述する吸収パッド２００の弾性部材３３と重なり易くなるか又は重なる面積が大きくなり、また広過ぎると、吸収パッド２００の幅方向両側と重ならなくなるか又は重なる面積が少なくなり、いずれにせよ、フィット性の向上効果が乏しくなるおそれがある。
【００３８】
細長状弾性部材１３ｓ，１３ｉとしては、糸状、紐状、帯状等の適宜の形状の合成又は天然ゴムを用いることができる。合成ゴムを用いる場合、太さ４００〜１２００ｄｔｅｘ程度のものを伸張率１８０〜３００％程度で設けるのが好ましい。また、外側弾性部材１３ｓは２〜１０ｍｍの間隔で１〜１０本程度並設するのが好ましく、内側弾性部材１３ｉは２〜１５ｍｍの間隔で１〜１０本程度並設するのが好ましい。
【００３９】
（吸収パッドについて）
図７〜１０は、本発明に係る吸収パッド例２００を示している。この吸収パッド２００は、紙おむつ１００の内面に敷いて使用されることを想定したものであり、股間部Ｃ２と、その前後両側に延在する前側部分Ｆ２及び背側部分Ｂ２とを有するものである。各部の寸法は適宜定めることができ、例えば、物品全長（前後方向長さ）Ｌ１は３５０〜７００ｍｍ程度、全幅Ｗ１は１３０〜４００ｍｍ程度（ただし、おむつの吸収面の幅より狭い）とすることができ、この場合における股間部Ｃ２の前後方向長さは１０〜１５０ｍｍ程度、腹側部分Ｆ２の前後方向長さは５０〜３５０ｍｍ程度、及び背側部分Ｂ２の前後方向長さは５０〜３５０ｍｍ程度とすることができる。
【００４０】
吸収パッド２００は、外面に外装シート３２が積層された不透液性バックシート２１の内面と、透液性トップシート２２との間に、吸収体２３が介在された基本構造を有している。
【００４１】
吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は、相対的に前側の部分が後側の部分よりも幅広な帯状、あるいは長方形状、台形状等、適宜の形状とすることができる。図示形態の吸収体２３は、下層吸収体２３Ｂとその上に積層された上層吸収体２３Ｕとからなる二層構造とされているが、一層構造であっても良い。二層構造の場合両層２３Ｕ，２３Ｂは同寸であっても良いが、図示のように上層吸収体２３Ｕを長さ・幅ともに小さく、且つ前寄りに位置させる等、適宜の構成を採用することができる。
【００４２】
吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。図示形態のような二層構造の場合、下層吸収体２３Ｂの繊維目付けは例えば８０〜４００ｇ／ｍ2程度、高吸収性ポリマーの目付けは例えば５０〜４００ｇ／ｍ2程度とすることができ、上層吸収体２３Ｕの繊維目付けは例えば８０〜３００ｇ／ｍ2程度、高吸収性ポリマーの目付けは例えば１０〜２００ｇ／ｍ2程度とすることができる。
【００４３】
吸収体２３の裏面側には、不透液性バックシート２１が吸収体３の周縁より若干食み出すように設けられている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００４４】
また、不透液性バックシート２１の外面は、不織布からなる外装シート３２により覆われており、この外装シート３２は、所定の食み出し幅をもってバックシート２１の周縁より外側に食み出している。外装シート３２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００４５】
吸収体２３の表面側は、透液性トップシート２２により覆われている。図示形態ではトップシート２２の側縁から吸収体２３が一部食み出しているが、吸収体３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００４６】
吸収パッド２００の前後方向両端部では、外装シート１２および透液性トップシート１が吸収体３の前後端よりも前後両側にそれぞれ延在されて貼り合わされ、吸収体２３の存在しないエンドフラップ部ＥＦが形成されている。吸収パッド２００の両側部では、外装シート３２が吸収体２３の側縁よりも外側にそれぞれ延在され、この延在部からトップシート２２の側部までの部分の内面にはバリヤシート２４の幅方向外側の部分２４ｘが前後方向全体にわたり貼り付けられ、吸収体２３の存在しないサイドフラップ部ＳＦを構成している。これら貼り合わせ部分は、図９及び図１０では点模様で示されており、ホットメルト接着剤、ヒートシール、超音波シールにより形成できる。これらエンドフラップ部ＥＦ及びサイドフラップ部ＳＦは、本発明の周縁部をなし、これらにより囲まれる部分が本発明の本体部をなす。外装シート３２を設けない場合、外装シート３２に代えて不透液性バックシート２１をサイドフラップ部ＳＦまで延在させ、サイドフラップ部ＳＦの外面側を形成することができる。
【００４７】
バリヤシート２４の素材としては、プラスチックシートやメルトブローン不織布を使用することもできるが、肌への感触性の点で、不織布にシリコンなどにより撥水処理をしたものが好適に使用される。
【００４８】
バリヤシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００４９】
また、両バリヤシート２４，２４は、幅方向外側の部分２４ｘが前後方向全体にわたり物品内面（図示形態ではトップシート２２表面および外装シート３２内面）に貼り合わされて固定されるとともに、幅方向中央側の部分２４ｃが、前後方向の両端部では物品内面（図示形態ではトップシート２２表面）に貼り合わされて固定され、かつ前後方向の両端部間では物品内面（図示形態ではトップシート２２表面）に固定されていない。この非固定部分は、図１０に示されるように、物品内面（図示形態ではトップシート２２表面）に対して起立可能なバリヤ部となる部分であり、その起立基端２４ｂはバリヤシート２４における幅方向外側の固定部分２４ｘと内側の部分２４ｃとの境に位置する。
【００５０】
そして、特徴的には、本体部の幅方向両側における吸収体３３の裏面側に、腹側部分Ｆ２から背側部分Ｂ２にわたり延在するように、且つ股間部Ｃ１で幅方向中央側に膨出するように、複数本の細長状弾性部材３３がそれぞれ設けられている。この弾性部材３３は、本実施形態では外装シート３２とバックシート３１との間に接着剤を用いて固定されているが、バックシート３１の内面に固定することもできる。
【００５１】
弾性部材３３の股間部Ｃ２における位置は、おむつ１００に対して股間部Ｃ２を合わせて装着した状態では、図１２及び図１３に示すように、おむつ１００の内側弾性部材１３ｉよりも幅方向中央側となる。パッド２００の弾性部材３３は、少なくとも一部がおむつ１００の内側弾性部材１３ｉよりも幅方向中央側に位置するだけでも良いが、図示形態のように全てがおむつ１００の内側弾性部材１３ｉよりも幅方向中央側に位置するのが好ましい。かくして構成された吸収パッド２００を使用すると、股間部Ｃ２において、おむつの幅方向両側の細長状弾性部材１３により、これと重なるパッド２００の幅方向両端部が身体側に押し付けられ、パッド２００の弾性部材３３により、パッド２００の幅方向中央側が身体側に押し付けられる。
【００５２】
股間部Ｃ２における弾性部材３３の具体的通過位置としては、幅方向中央を基準として幅方向に±１００ｍｍの範囲とするのが好ましい。この範囲が広すぎると、おむつ１００の弾性部材１３と重なり易くなるか又は重なる面積が大きくなり、フィット性の向上効果が乏しくなるおそれがあり、また狭すぎると、吸収パッド２００の幅方向中央部のみが身体にフィットし、その幅方向両側のフィット性が不十分になるおそれがある
【００５３】
特に図示形態では、パッド２００の弾性部材３３のうち股間部Ｃ２から腹側Ｆ２に延在する部分は、且つおむつ１００の内側弾性部材１３ｉに沿って略一定の間隔を空けて略同形状（略直線状）に延在されている。一方、パッド２００の弾性部材３３のうち背側Ｂ２に延在する部分は、臀部の膨らみと対応する部分の幅方向外側を回るような湾曲状に延在する部分と、その後端から前後方向に沿って直線状に延在する部分とを有する。これにより、パッド２００の弾性部材３３の収縮により生じる外面形状と、おむつ１００における弾性部材１３の収縮により生じる内面形状とがフィットするようになるため、パッドの股間部Ｃ２の幅方向全体が身体に良好にフィットし、またパッド２００とおむつ１００とのズレも発生し難くなる。
【００５４】
吸収パッド２００の細長状弾性部材３３としては、糸状、紐状、帯状等の適宜の形状の合成又は天然ゴムを用いることができる。合成ゴムを用いる場合、太さ４００〜１２００ｄｔｅｘ程度のものを伸張率１８０〜３００％程度で設けるのが好ましい。また、吸収パッド２００の細長状弾性部材３３は２〜１０ｍｍの間隔で１〜５本程度並設するのが好ましい。さらに、図示形態のように、幅方向一方側の細長状弾性部材３３と幅方向他方側の細長状弾性部材３３との間隔が股間部Ｃ２において最も狭くなるように配置する場合、細長状弾性部材３３を周囲の部材と異なる色の有色部材（通常のおむつは白であるため、青や緑等の清潔感のある色が好ましい）にすると、パッド２００の股間部Ｃ２の位置を容易に視認でき、おむつ１００に対してパッド２００を正確に配置することができるようになるため好ましい。
【００５５】
また、吸収パッド２００の股間部Ｃ２にけるフィット性をさらに高めるために、図１１に示すように、吸収パッド２００の吸収体２３のうち、少なくとも弾性部材３３の股間部Ｃ２における位置と重なる部分２３ｈを刳り貫くのは一つの好ましい形態である。これにより、吸収体２３の柔軟性が増し、吸収パッド２３に設けられた弾性部材３３によるフィット性の向上効果がより一層のものとなる。刳り貫き部分２３ｈの寸法・形状は適宜定めることができるが、座位時におけるフィット性を考慮すると、図示形態のように、幅方向各側において、弾性部材３３の股間部Ｃ２における位置と重なる部分から前側部分まで帯状に刳り貫くのが好ましい。この場合における刳り貫き幅Ｗ３は、５〜５０ｍｍ程度とするのが好ましく、刳り貫き長さＬ３は５０〜３００ｍｍ程度とするのが好ましい。
【００５６】
また、本発明では、股間部におけるフィット性が向上するため、パッド表面と身体との間に尿を一時的にプール（貯留）する空間が少なくなり、一度に多量の排尿があった場合、漏れにつながるおそれがある。よって、図７及び図１０に示すように、吸収体２３の幅方向中央部における前側部分Ｆ２又は股間部Ｃ２から後側部分Ｂ２までの部分に、身体側に開口する溝２３ｄを形成し、当該溝２３ｄ形成部分における吸収速度を向上させるのが好ましい。図示形態の溝は、吸収体２３を上下方向に貫通する刳り貫き部により形成されているが、吸収体２３に窪みを設けたり、また二層構造の吸収体２３の場合には上層吸収体２３Ｕにのみ刳り貫き部を設けたりすることにより形成することもできる。溝２３ｄの寸法は適宜定めることができるが、幅Ｗ２は５〜４０ｍｍ程度であるのが好ましく、長さＬ２は５０〜３００ｍｍ程度とするのが好ましい。
【００５７】
また、同様の目的で、二層構造の吸収体を採用するとともに、上層吸収体２３Ｕの高吸収性ポリマーの量を下層吸収体２３Ｂよりも少なくし、吸収速度を向上させるのも好ましい形態である。具体的には、下層吸収体２３Ｂの繊維目付けは１００〜４００ｇ／ｍ2程度、高吸収性ポリマーの目付けは２００〜３５０ｇ／ｍ2程度とするのが好ましく、上層吸収体２３Ｕの繊維目付けは１００〜４００ｇ／ｍ2程度、高吸収性ポリマーの目付けは０〜２００ｇ／ｍ2程度とするのが好ましい。
【００５８】
（他の形態）
吸収パッド２００における弾性部材は、股間部Ｃ２における位置が、おむつ１００に対して股間部Ｃ２を合わせて装着した状態で、おむつ１００の内側弾性部材１３ｉよりも幅方向中央側（通常の場合、幅方向中央を基準として幅方向に±１００ｍｍの範囲内）となる限り、上記形態に限られない。したがって、例えば図１４に示すように、幅方向に沿う弾性部材３４を前後方向に所定の間隔で複数設けることもできる。
【産業上の利用可能性】
【００５９】
本発明は、吸収パッドと使い捨ておむつとを組み合わせて用いる場合に利用されるものである。
【図面の簡単な説明】
【００６０】
【図１】テープ式使い捨ておむつの展開状態の内面側を示す平面図である。
【図２】図１のＶ−Ｖ断面図である。
【図３】図１のＸ−Ｘ断面図である。
【図４】図１のＷ−Ｗ断面図である。
【図５】要部拡大平面図である。
【図６】テープ式使い捨ておむつの展開状態の外面側を示す平面図である。
【図７】吸収パッドの展開状態の内面側を示す平面図である。
【図８】吸収パッドの展開状態の外面側を示す平面図である。
【図９】図７のＹ−Ｙ断面図である。
【図１０】図７のＺ−Ｚ断面図である。
【図１１】他の吸収パッドの展開状態の外面側を示す平面図である。
【図１２】吸収パッドを取り付けた状態の、テープ式使い捨ておむつの展開状態の内面側を示す平面図である。
【図１３】吸収パッドを取り付けた状態の、テープ式使い捨ておむつの展開状態の外面側を示す平面図である。
【図１４】他の吸収パッドを取り付けた状態の、テープ式使い捨ておむつの展開状態の外面側を示す平面図である。
【符号の説明】
【００６１】
１，２１…不透液性バックシート、２，２２…透液性トップシート、３，２３…吸収体、４，２４…バリヤシート、５…ファスニングテープ、６…ターゲットテープ、７…弾性部材、８…基材シート、９…フックテープ、１０…ミシン目、１２，３２…外装シート、１３ｉ，１３ｓ，３３，３４…弾性部材、１００…テープ式使い捨ておむつ、２００…吸収パッド。
【図１】
0005089269.tif 000002
【図２】
0005089269.tif 000003
【図３】
0005089269.tif 000004
【図４】
0005089269.tif 000005
【図５】
0005089269.tif 000006
【図６】
0005089269.tif 000007
【図７】
0005089269.tif 000008
【図８】
0005089269.tif 000009
【図９】
0005089269.tif 000010
【図１０】
0005089269.tif 000011
【図１１】
0005089269.tif 000012
【図１２】
0005089269.tif 000013
【図１３】
0005089269.tif 000014
【図１４】
0005089269.tif 000015